(57)【要約】【課題】  本発明は、印刷用に用意された画像データを編集して印刷用紙よりも小サイズの用紙上にプリント出力するプリンタ用の画像データを生成する画像データ生成方法等に関し、プリンタ用に面付けされた画像データを効率的に作成し微調整も容易に可能とする。【解決手段】  １ページごとの画像データ（ＰＤＬ）から印刷用の大サイズの第１の用紙に面付けされたＣＴＰ用画像データＴＩＦＦを作成するよりも前に、ＣＴＰ用面付け設定情報（ＪＤＦ）を変換してＰＯＤ用の面付け設定情報を生成し、そのＰＯＤ用の面付け設定情報に基づいてＰＯＤ用に面付けされた画像データを作成する。【選択図】        図７
2011018230.tif 000002
【特許請求の範囲】
【請求項１】
第１の用紙上への面付けを定義した第１の面付けデータとページ単位に記述された第１の画像データとを取得するデータ取得過程と、
前記第１の面付けデータに基づいて、前記第１の用紙よりも小サイズの第２の用紙上への面付けを定義した第２の面付けデータを生成する面付けデータ生成過程と、
前記第１の画像データと前記第２の面付けデータとに基づいて、該第１の画像データにより表わされる各ページごとの画像が該第２の面付けデータに従って前記第２の用紙上に面付けされたときの該第２の用紙の片面単位の画像を表わす第２の画像データを生成する画像データ生成過程とを有することを特徴とする画像データ生成方法。
【請求項２】
前記面付けデータ生成過程が、
前記第１の面付けデータを、前記第１の用紙１枚につき１つの折り丁が設定された第３の面付けデータに変更する第１の変更過程と、
前記第３の面付けデータを、平綴じが前記第１の用紙１枚ごとの中綴じに変更された第４の面付けデータに変更する第２の変更過程と、
前記第４の面付けデータを前記第２の面付けデータに変換する面付けデータ変換過程とを有することを特徴とする請求項１記載の画像データ生成方法。
【請求項３】
前記画像データ生成過程が、ビットマップを表わす前記第２の画像データを生成する過程であることを特徴とする請求項１又は２記載の画像データ生成方法。
【請求項４】
第１の用紙上への面付けを定義した第１の面付けデータとページ単位に記述された第１の画像データとを取得するデータ取得部と、
前記第１の面付けデータに基づいて、前記第１の用紙よりも小サイズの第２の用紙上への面付けを定義した第２の面付けデータを生成する面付けデータ生成部と、
前記第１の画像データと前記第２の面付けデータとに基づいて、該第１の画像データにより表わされる各ページごとの画像が該第２の面付けデータに従って前記第２の用紙上に面付けされたときの該第２の用紙の片面単位の画像を表わす第２の画像データを生成する画像データ生成部とを有することを特徴とする画像データ生成装置。
【請求項５】
前記面付けデータ生成部が、
前記第１の面付けデータを、前記第１の用紙１枚につき１つの折り丁が設定された第３の面付けデータに変更する第１の変更部と、
前記第３の面付けデータを、平綴じが前記第１の用紙１枚ごとの中綴じに変更された第４の面付けデータに変更する第２の変更部と、
前記第４の面付けデータを前記第２の面付けデータに変換する面付けデータ変換部とを有することを特徴とする請求項４記載の画像データ生成装置。
【請求項６】
オペレータにより操作される操作部を備え、該操作部の操作に従って前記第２の面付けデータを修正する面付けデータ修正部を有し、
前記画像データ生成部が、前記面付けデータ修正部で修正された後の前記第２の面付けデータに従って前記第２の画像データを生成するものであることを特徴とする請求項４又は５記載の画像データ生成装置。
【請求項７】
前記面付けデータ修正部が、前記操作部の操作に従ってブリード幅を修正するものであることを特徴とする請求項６記載の画像データ生成装置。
【請求項８】
前記面付けデータ修正部が、前記操作部の操作に従ってクリープ量を修正するものであることを特徴とする請求項６又は７記載の画像データ生成装置。
【請求項９】
前記画像データ生成部が、ビットマップを表わす前記第２の画像データを生成するものであることを特徴とする請求項４から８のうちいずれか１項記載の画像データ生成装置。
【請求項１０】
前記画像データ生成部で生成された前記第２の画像データを、前記第２の用紙上に画像を生成するプリンタに向けて送信する画像データ送信部をさらに有することを特徴とする請求項４又は９記載の画像データ生成装置。
【請求項１１】
プログラムを実行する演算装置内で実行され、該演算装置を、
第１の用紙上への面付けを定義した第１の面付けデータとページ単位に記述された第１の画像データとを取得するデータ取得部と、
前記第１の面付けデータに基づいて、前記第１の用紙よりも小サイズの第２の用紙上への面付けを定義した第２の面付けデータを生成する面付けデータ生成部と、
前記第１の画像データと前記第２の面付けデータとに基づいて、該第１の画像データにより表わされる各ページごとの画像が該第２の面付けデータに従って前記第２の用紙上に面付けされたときの該第２の用紙の片面単位の画像を表わす第２の画像データを生成する画像データ生成部とを有する画像データ生成装置として動作させることを特徴とする画像データ生成プログラム。
【請求項１２】
前記面付けデータ生成部が、
前記第１の面付けデータを、前記第１の用紙１枚につき１つの折り丁が設定された第３の面付けデータに変更する第１の変更部と、
前記第３の面付けデータを、平綴じが前記第１の用紙１枚ごとの中綴じに変更された第４の面付けデータに変更する第２の変更部と、
前記第４の面付けデータを前記第２の面付けデータに変換する面付けデータ変換部とを有する画像データ生成装置として動作させることを特徴とする請求項１１記載の画像データ生成プログラム。
【請求項１３】
当該演算装置が、オペレータにより操作される操作部を備えたものであって、当該画像データ生成プログラムが、当該演算装置を、前記操作部の操作に従って前記第２の面付けデータを修正する面付けデータ修正部を有し、
前記画像データ生成部が、前記面付けデータ修正部で修正された後の前記第２の面付けデータに従って前記第２の画像データを生成する画像データ生成装置として動作させることを特徴とする請求項１１又は１２記載の画像データ生成プログラム。
【請求項１４】
前記面付けデータ修正部が、前記操作部の操作に従ってブリード幅を修正するものであることを特徴とする請求項１３記載の画像データ生成プログラム。
【請求項１５】
前記面付けデータ修正部が、前記操作部の操作に従ってクリープ量を修正するものであることを特徴とする請求項１３又は１４記載の画像データ生成プログラム。
【請求項１６】
前記画像データ生成部が、ビットマップを表わす前記第２の画像データを生成するものであることを特徴とする請求項１１から１５のうちいずれか１項記載の画像データ生成プログラム。
【請求項１７】
当該演算装置を、前記画像データ生成部で生成された前記第２の画像データを前記第２の用紙上に画像を生成するプリンタに向けて送信する画像データ送信部をさらに有する画像データ生成装置として動作させることを特徴とする請求項１１又は１６記載の画像データ生成プログラム。
【発明の詳細な説明】
【技術分野】
【０００１】
本発明は、印刷用に用意された画像データを編集して印刷用紙よりも小サイズの用紙上にプリント出力するプリンタ用の画像データを生成する画像データ生成方法および画像データ生成装置、並びに演算装置内で実行されてその演算装置を画像データ生成装置として動作させる画像データ生成プログラムに関する。
【背景技術】
【０００２】
本を本格的に多数冊作製するにあたっては、大サイズの用紙上に面付けされた複数ページの画像が印刷され、折り畳まれて折り丁が形成され、その本のページ数に応じて複数の折り丁が積み重ねられ、それらの折り丁の周縁が切断されて製本されるという工程が採用される。
【０００３】
ここで、本を作製する際の印刷工程は、大サイズの多数枚の用紙上に印刷するにあたっては効率がよいが、刷版を作製して印刷機にセットし、印刷機をその画像用に調整するなど、印刷開始までに大がかりな準備が必要である。従前は、印刷工程では製版フィルムの作成が必要であったが近年では製版フィルムを作成せずに直接に刷版を作成する、いわゆるＣＴＰ（Ｃｏｍｐｕｔｅｒ  ｔｏ  Ｐｌｏｔｓ）の技術が進んでいる。しかしながらそれでもなお、印刷工程は準備に多大な工数と時間がかかる工程である。また一方では、多数冊の本の作製を開始する前にその本の見本を作製してその厚さや質感等を確認してから、本格的な作製に取りかかりたいという要望がある。
【０００４】
この要望を満たすために、印刷機を使って本格的な印刷を行なうよりも前に、印刷機よりも手軽にプリント出力を行なうことのできるプリンタでその本の各ページの画像をプリント出力して製本することにより、束見本と呼ばれる、見本としての本を作製することが考えられている。これを実現するにあたっては、プリンタ出力用に面付けされた画像データを生成する必要がある（例えば、特許文献１参照）。
【０００５】
図１は、プリンタ出力用に面付けされた画像データの生成方法の一例を示す図である。
【０００６】
ここでは、ＣＴＰ用の面付け設定情報（ＪＤＦ；Ｊｏｂ  Ｄｅｆｉｎｉｔｉｏｎ  Ｆｏｒｍａｔ）と、ページ記述言語（Ｐａｇｅ  Ｄｉｓｃｒｉｐｔｉｏｎ  Ｌａｎｇｕａｇｅ）で記述された画像データである入稿データがＲＩＰ（Ｒａｓｔｅｒ  Ｉｍａｇｅ  Ｐｒｏｃｅｓｓｏｒ）に入力され、印刷用の大サイズの用紙に面付けられたＴＩＦＦ（Ｔａｇｇｅｄ  Ｉｍａｇｅ  Ｆｉｌｅ  Ｆｏｒｍａｔ）形式のＣＴＰ用画像データが生成される。特許文献１の開示技術では、このＴＩＦＦ形式のＣＴＰ用画像データをプリンタ用に面付けされた画像データに変換するという工程が採用されている。
【０００７】
このようにしてプリンタ用に面付けされた画像データを生成しその画像データに基づく画像をプリント出力して製本することにより、各ページに画像がプリントされた束見本が作製される。この束見本は、プリンタを用いることから、印刷機を用いて作製するよりもはるかに簡易に作製される。
【先行技術文献】
【特許文献】
【０００８】
【特許文献１】特開２００９−４９１２号公報
【発明の概要】
【発明が解決しようとする課題】
【０００９】
図１に示す方法を採用してプリンタ用に面付けされた画像データを生成しようとすると、プリンタ用の面付けを担当する装置には、ラスタイメージに変換された後のＣＴＰ用画像データを入力する必要があり、データ入力に長時間を有し処理効率が悪いという問題がある。
【００１０】
また、図１に示す方法の場合、例えば、１ページだけ修正した画像に差し替える必要を生じた場合であってもその差し替えようとする１枚の画像のみを差し替えれば済む訳ではなく、印刷用の大サイズの用紙１枚分に面付けされた、その１枚の画像を含む多数枚の画像全体について再度ＲＩＰでラスタライズしてＣＴＰ用画像データに変換する必要があり、差し替えの処理が非効率的である。さらにブリード幅やクリープ量等の微調整を行なう必要を生じた場合や、裁断位置を示すいわゆるトンボと呼ばれるマークや濃度管理用のいわゆる色玉と呼ばれる図形を消したり位置をずらしたりする必要を生じた場合なども、ＲＩＰ前の段階に戻って、ブリード幅やクリープ量を微調整したりトンボや色玉を消去又は位置修正をしたＪＤＦを作成し、再度ＲＩＰをし直す必要を生じる。このように図１に示す方法の場合、プリンタを使って束見本を作製するための様々な微調整を行なうのが極めて不便で手間がかかることになる。
【００１１】
本発明は上記事情に鑑み、プリンタ用に面付けされた画像データを効率的に作成し微調整も容易な画像データ生成方法および画像データ生成装置、並びに演算装置をそのような画像データ生成装置として動作させる画像データ生成プログラムを提供することを目的とする。
【課題を解決するための手段】
【００１２】
上記目的を達成する本発明の画像データ生成方法は、
第１の用紙上への面付けを定義した第１の面付けデータとページ単位に記述された第１の画像データとを取得するデータ取得過程と、
第１の面付けデータに基づいて、上記第１の用紙よりも小サイズの第２の用紙上への面付けを定義した第２の面付けデータを生成する面付けデータ生成過程と、
上記第１の画像データと上記第２の面付けデータとに基づいて、第１の画像データにより表わされる各ページごとの画像が第２の面付けデータに従って第２の用紙上に面付けされたときのその第２の用紙の片面単位の画像を表わす第２の画像データを生成する画像データ生成過程とを有することを特徴とする。
【００１３】
本発明の画像データ生成方法は、第１の画像データから大サイズの第１の用紙に面付けされた画像データ（例えば図１に示すＣＴＰ用画像データ（ＴＩＦＦ）を作成するよりも前に、第１の面付けデータ（例えば図１に示すＣＴＰ用面付け設定情報（ＪＤＦ））を変換して第２の面付けデータ（例えばプリンタ用の面付け設定情報（ＪＤＦ））を生成し、その第２の面付けデータに基づいて第２の画像データ（例えばプリンタ用に面付けされた画像データ）を作成するものであり、第２の画像データの効率的な作成を行なうことができ、また、修正等も容易である。
【００１４】
ここで、本発明の画像データ生成方法において、上記面付けデータ生成過程が、
上記第１の面付けデータを、前記第１の用紙１枚につき１つの折り丁が設定された第３の面付けデータに変更する第１の変更過程と、
上記第３の面付けデータを、平綴じが上記第１の用紙１枚ごとの中綴じに変更された第４の面付けデータに変更する第２の変更過程と、
上記第４の面付けデータを上記第２の面付けデータに変換する面付けデータ変換過程とを有することが好ましい。
【００１５】
この手順により第１の面付けデータを第２の面付けデータに正確に変換することができる。
【００１６】
本発明の画像データ生成方法において、上記画像データ生成過程は、典型的には、ビットマップを表わす第２の画像データを生成する過程である。ただし、本発明の画像データ生成方法は、ビットマップデータではなく、ＰＤＬ形式の第２の画像データを生成する過程であってもよい。
【００１７】
また、本発明の画像データ生成装置は、
第１の用紙上への面付けを定義した第１の面付けデータとページ単位に記述された第１の画像データとを取得するデータ取得部と、
上記第１の面付けデータに基づいて、上記第１の用紙よりも小サイズの第２の用紙上への面付けを定義した第２の面付けデータを生成する面付けデータ生成部と、
上記第１の画像データと上記第２の面付けデータとに基づいて、第１の画像データにより表わされる各ページごとの画像が第２の面付けデータに従って第２の用紙上に面付けされたときのその第２の用紙の片面単位の画像を表わす第２の画像データを生成する画像データ生成部とを有することを特徴とする。
【００１８】
ここで、本発明の画像データ生成装置において、上記面付けデータ生成部が、
上記第１の面付けデータを、上記第１の用紙１枚につき１つの折り丁が設定された第３の面付けデータに変更する第１の変更部と、
上記第３の面付けデータを、平綴じが上記第１の用紙１枚ごとの中綴じに変更された第４の面付けデータに変更する第２の変更部と、
上記第４の面付けデータを上記第２の面付けデータに変換する面付けデータ変換部とを有することが好ましい。
【００１９】
また、本発明の画像データ生成装置において、オペレータにより操作される操作部を備えて、その操作部の操作に従って上記第２の面付けデータを修正する面付けデータ修正部を有し、上記画像データ生成部が、面付けデータ修正部で修正された後の第２の面付けデータに従って第２の画像データを生成するものであることが好ましい。
【００２０】
この場合に、面付けデータ修正部が、操作部の操作に従ってブリード幅を修正するものであってもよく、あるいは、面付けデータ修正部が、操作部の操作に従ってクリープ量を修正するものであってもよい。
【００２１】
このように第２の面付けデータを修正する機能を備えると、１ページ分の画像の差し替え、ブリード幅やクリープ量の調整、トンボや色玉の消去や修正等を容易に行なうことができる。
【００２２】
また本発明の画像データ生成装置において、上記画像データ生成部は、典型的には、ビットマップを表わす第２の画像データを生成するものであってもよい。ただし、本発明の画像データ生成装置は、ビットマップデータではなく、ＰＤＬ形式の第２の画像データを生成するものであってもよい。
【００２３】
さらに、本発明の画像データ生成装置が、上記画像データ生成部で生成された第２の画像データを、上記第２の用紙上に画像を生成するプリンタに向けて送信する画像データ送信部をさらに有することが好ましい。
【００２４】
ビットマップで出力された画像データをプリンタに向けて出力することにより、そのプリンタで束見本用の画像のプリント出力を行なうことができる。
【００２５】
また、上記目的を達成する本発明の画像データ生成プログラムは、プログラムを実行する演算装置内で実行され、その演算装置を、
第１の用紙上への面付けを定義した第１の面付けデータとページ単位に記述された第１の画像データとを取得するデータ取得部と、
上記第１の面付けデータに基づいて、前記第１の用紙よりも小サイズの第２の用紙上への面付けを定義した第２の面付けデータを生成する面付けデータ生成部と、
上記第１の画像データと上記第２の面付けデータとに基づいて、第１の画像データにより表わされる各ページごとの画像が第２の面付けデータに従って第２の用紙上に面付けされたときのその第２の用紙の片面単位の画像を表わす第２の画像データを生成する画像データ生成部とを有する画像データ生成装置として動作させることを特徴とする。
【００２６】
ここで、上記面付けデータ生成部が、
上記第１の面付けデータを、上記第１の用紙１枚につき１つの折り丁が設定された第３の面付けデータに変更する第１の変更部と、
上記第３の面付けデータを、平綴じが上記第１の用紙１枚ごとの中綴じに変更された第４の面付けデータに変更する第２の変更部と、
上記第４の面付けデータを上記第２の面付けデータに変換する面付けデータ変換部とを有することが好ましい。
【００２７】
また、本発明の画像データ生成プログラムにおいて、当該演算装置が、オペレータにより操作される操作部を備えたものであって、当該画像データ生成プログラムが、当該演算装置を、操作部の操作に従って第２の面付けデータを修正する面付けデータ修正部を有し、上記画像データ生成部が、面付けデータ修正部で修正された後の第２の面付けデータに従って上記第２の画像データを生成する画像データ生成装置として動作させることが好ましい。
【００２８】
ここで、上記面付けデータ修正部が、操作部の操作に従ってブリード幅を修正するものであってもよく、上記面付けデータ修正部が、操作部の操作に従ってクリープ量を修正するものであってもよい。
【００２９】
また、本発明の画像データ生成プログラムにおいて、上記画像データ生成部が、ビットマップを表わす第２の画像データを生成するものであってもよい。また、本発明の画像データ生成プログラムが、当該演算装置を、上記画像データ生成部で生成された第２の画像データを上記第２の用紙上に画像を生成するプリンタに向けて送信する画像データ送信部をさらに有する画像データ生成装置として動作させることが好ましい。
【発明の効果】
【００３０】
以上の本発明によれば、プリンタ用に面付けされた画像データが効率的に、かつ容易に修正可能に作成される。
【図面の簡単な説明】
【００３１】
【図１】プリンタ出力用に面付けされた画像データの生成方法の一例を示す図である。
【図２】本発明の一実施形態が適用されるコンピュータを示す図である。
【図３】図２に示すコンピュータのハードウェア構成図である。
【図４】図２，図３に示すコンピュータにより実施される一実施形態としての画像データ生成方法の概要を示したフローチャートである。
【図５】本発明の一実施形態としての画像データ生成プログラムのフローチャートである。
【図６】本発明の一実施形態としての画像データ生成装置の機能ブロック図である。
【図７】本発明の具体的な一実施形態の概要を示す図である。
【図８】本発明のさらに具体的な実施形態の処理を示すフローチャートである。
【図９】図８のフローチャートに基づく処理の流れを示す図である。
【図１０】刷版用面付け設定情報（ＪＤＦ）の一例を示す図である。
【図１１】図１０に示す刷版用面付け設定情報（ＪＤＦ）に基づいて作成されたＰＯＤ用面付け設定情報（ＪＤＦ）の一例を示す図である。
【図１２】刷版用面付け設定情報（例えば図１０参照）からＰＯＤ用面付け設定情報（例えば図１１参照）への変換処理を示すフローチャートである。
【図１３】図１２のステップＳ６０１の処理の説明図である。
【図１４】図１２のステップＳ６０２，Ｓ６０３の処理の説明図である。
【図１５】図１２のステップＳ６０４の処理の説明図である。
【図１６】図１２のステップＳ６０５の処理の説明図である。
【図１７】図１２のステップＳ６０６の処理の説明図である。
【発明を実施するための形態】
【００３２】
以下本発明の実施形態について説明する。
【００３３】
図２は、本発明の一実施形態が適用されるコンピュータを示す図である。
【００３４】
図２に示すコンピュータ１００は、外観上、本体部１１０、本体部１１０からの指示により表示画面１２１に画像表示を行う画像表示装置１２０、このコンピュータ１００にキー操作に応じた情報を入力するキーボード１３０、および表示画面１２１上の任意の位置を指定することによりその位置に応じた指示を入力するマウス１４０を備えている。
【００３５】
この本体部１１０は、外観上、フレキシブルディスク（以下、ＦＤと呼ぶ）やＣＤ−ＲＯＭを装填するためのＦＤ装填口１１１およびＣＤ−ＲＯＭ装填口１１２を有している。
【００３６】
図３は、図２に示すコンピュータのハードウェア構成図である。
【００３７】
図２に示す本体装置１１０には、ＣＰＵ１１３、主メモリ１１４、ハードディスク装置１１５、ＦＤドライブ１１６、ＣＤドライブ１１７、入力インターフェース１１８、および出力インターフェース１１９が内蔵されている。ＣＰＵ１１３は、各種プログラムを実行する。主メモリ１１４には、ハードディスク装置１１５に格納されたプログラムが読み出されＣＰＵ１１３での実行のためにプログラムが展開される。ハードディスク装置１１５には、各種プログラムやデータ等が保存される。ＦＤドライブ１１６は、ＦＤ３００が装填されその装填されたＦＤ３００をアクセスする。ＣＤドライブ１１７は、ＣＤ−ＲＯＭ４００が装填されその装填されたＣＤ−ＲＯＭ４００をアクセスする。入力インターフェース１１８は、外部装置（ここでは入稿データ（後述する）を編集する編集装置）からのデータ入力を行い、出力インターフェース１１９は、外部装置（ここではＰＯＤ（Ｐｒｉｎｔ  Ｏｎ  Ｄｅｍａｎｄ）向きのプリンタ）へのデータ出力を行う。本体装置１１０に内蔵されているこれらのハードウェアと、キーボード１３０と、マウス１４０と、画像表示装置１２０は、バス１５０を介して接続されている。
【００３８】
ＣＤ−ＲＯＭ４００には、コンピュータを、画像データ生成装置の一実施形態として動作させる、後述する画像データ生成プログラムが記憶されている。そのＣＤ−ＲＯＭ４００はＣＤドライブ１１７に装填され、そのＣＤ−ＲＯＭ４００に記憶された画像データ生成プログラムがこのコンピュータ１００にアップロードされてハードディスク装置１１５に記憶される。そして、この画像データ生成プログラムが起動されて実行されることにより、コンピュータ１００は、本発明にいう画像データ生成装置の一実施形態として動作する。
【００３９】
図４は、図２，図３に示すコンピュータにより実施される一実施形態としての画像データ生成方法の概要を示したフローチャートである。
【００４０】
ここに示す画像データ生成方法は、データ取得過程（Ｓ１０）と、面付けデータ生成過程（Ｓ２０）と、画像データ生成過程（Ｓ３０）とを有し、さらに、面付けデータ生成過程（Ｓ２０）は、第１の変更過程（Ｓ２１）と、第２の変更過程（Ｓ２２）と、面付けデータ変換過程（Ｓ２３）とを有する。
【００４１】
データ取得過程（Ｓ１０）では、印刷機で用いられる大サイズの第１の用紙上への面付けを定義した第１の面付けデータと、ページ単位に記述された第１の画像データとが取得される。
【００４２】
また、面付けデータ生成過程（Ｓ２０）では、上記の第１の面付けデータに基づいて、第１の用紙よりも小サイズの、プリンタ用の第２の用紙上への面付けを定義した第２の面付けデータが生成される。具体的には、その面付けデータ生成過程（Ｓ１０）では、第１の変更過程（Ｓ２１）において、第１の面付けデータが、第１の用紙１枚につき１つの折り丁が設定された第３の面付けデータに変更され、その第３の面付けデータが、第２の変更過程（Ｓ２２）において平綴じが第１の用紙１枚ごとの中綴じに変更された第４の面付けデータに変更され、その第４の面付けデータが、面付けデータ変換過程（Ｓ２３）において上記の第２の面付けデータに変換される。
【００４３】
また、図４に示す画像データ生成過程（Ｓ３０）では、上記第１の画像データと上記第２の面付けデータとに基づいて、第１の画像データにより表わされる各ページごとの画像が第２の面付けデータに従って第２の用紙上に面付けされたときの、その第２の用紙の片面単位の画像を表わす第２の画像データが生成される。この画像データ生成過程（Ｓ３０）は、ビットマップを表わす第２の画像データを生成する過程である。ただし、ビットマップのみではなく、ＰＤＬ形式の第２の画像データの生成も担うものであってもよい。
【００４４】
図５は、本発明の一実施形態としての画像データ生成プログラムのフローチャートである。
【００４５】
この画像データ生成プログラム２００は、図２，図３に示すコンピュータ１００にインストールされて実行されることにより、コンピュータ１００を本発明の画像データ生成装置の一実施形態として動作させるプログラムである。この図５に示す画像データ生成プログラム２００は、データ取得部２１０と、面付けデータ生成部２２０と、面付けデータ修正部２３０と、画像データ生成部２４０と、画像データ送信部２５０とからなる各プログラム部品で構成され、さらに面付けデータ生成部２２０は、第１の変更部２２１と、第２の変更部２２２と、面付けデータ変換部２２３との各プログラム部品で構成されている。
【００４６】
これらの各プログラム部品の作用については後述する。
【００４７】
図６は、本発明の一実施形態としての画像データ生成装置の機能ブロック図である。この画像データ生成装置３００は、図５に示す画像データ生成プログラム２００が図２，図３に示すコンピュータ１００にインストールされて実行されることにより実現する機能である。
【００４８】
この画像データ生成装置３００は、データ取得部３１０、面付けデータ生成部３２０、面付けデータ修正部３３０、画像データ生成部３４０、および画像データ送信部３５０を有する。また面付けデータ生成部３２０は、第１の変更部３２１、第２の変更部３２２、および面付けデータ変換部３２３を有する。
【００４９】
この図６に示す各部の名称は、図５に示す画像データ生成プログラム２００の各プログラム部品の名称とそれぞれ同一であるが、図６に示す画像データ生成装置３００の各部は図５に示す画像データ生成プログラム２００を構成する同一名称のプログラム部品がコンピュータ１００（図２，図３参照）内で実行されたときにコンピュータ１００内に実現する機能であり、したがって同一名称を用いているものの、図６の各部は、プログラム部品（ソフトウェア）とコンピュータ１００のハードウェアとの複合で構成されているのに対し、図５の各プログラム部品は、それらソフトウェアとハードウェアのうちのソフトウェアのみを指している。図５に示す画像データ生成プログラム２００を構成する各プログラム部品がコンピュータ１００内で実行されたときの作用は、図６に示す画像データ生成装置３００の各部の作用そのものであり、以下では、図６の画像データ生成装置３００の各部の作用を説明することで、図５の画像データ生成プログラム２００の各プログラム部品の作用の説明を兼ねるものとする。
【００５０】
データ取得部３１０は、印刷用の大サイズの第１の用紙上への面付けを定義した第１の面付けデータとページ単位に記述された第１の画像データとを取得する。
【００５１】
また、面付けデータ生成部３２０は、第１の用紙上への面付けを定義した第１の面付けデータに基づいて、その第１の用紙よりも小サイズの、プリンタ用の第２の用紙上への面付けを定義した第２の面付けデータを生成する。
【００５２】
ここで、面付けデータ生成部３２０では、その面付けデータ生成部３２０を構成する第１の変更部３２１において、第１の面付けデータが、第１の用紙１枚につき１つの折り丁が設定された第３の面付けデータに変更され、第２の変更部３２２において、その第３の面付けデータが、平綴じが第１の用紙１枚ごとの中綴じに変更された第４の面付けデータに変更され、面付けデータ変換部３２３において、第４の面付けデータが第２の面付けデータに変換される。
【００５３】
さらに面付けデータ修正部３３０はオペレータにより操作される操作部（例えば、図２，図３に示すキーボード１３０やマウス１４０）を備え、その面付けデータ修正部３３０では、その操作部の操作に従って第２の面付けデータが修正される。この面付けデータ修正部３３０では、操作部の操作に従ってブリード幅やクリープ量が第２の面付けデータ上で修正される。
【００５４】
さらに画像データ生成部３４０では、上記の第１の画像データと第２の面付けデータとに基づいて、第１の画像データにより表わされる各ページごとの画像が第２の面付けデータに従って第２の用紙上に面付けされたときの、その第２の用紙の片面単位の画像を表わす第２の画像データが生成される。ここで用いられる第２の面付けデータは、面付けデータ修正部３３０でその第２の面付けデータが修正されたときはその修正後の第２の面付けデータである。ここで、この画像データ生成部３４０はビットマップを表わす第２の画像データを生成するものである。ただし、画像データ生成部３４０はビットマップを表わす第２の画像データだけではなく、ＰＤＬ形式の第２の画像データも生成するものであってもよい。
【００５５】
さらに、画像データ送信部３５０は、画像データ生成部３４０で生成された第２の画像データを、第２の用紙上に画像を生成するプリンタに向けて送信する。
【００５６】
次に、本発明のさらに具体的に実施形態について説明する。
【００５７】
図７は、本発明の具体的な一実施形態の概要を示す図である。ここでは、この図７を参照しながらこの実施形態の概要を説明する。
【００５８】
ここでは、ＪＤＦ（Ｊｏｂ  Ｄｅｆｉｎｉｔｉｏｎ  Ｆｏｒｍａｔ）形式のＣＴＰ用面付け設定情報が同じくＪＤＦ形式のＰＯＤ用面付け設定情報に変換される。ここで、ＰＯＤ用面付け設定情報は、ＰＯＤ（Ｐｒｉｎｔ  Ｏｎ  Ｄｅｍａｎｄ）向きのプリンタで用いられる小サイズの用紙向けの面付け設定情報である。
【００５９】
図７に示すように、本実施形態では、ＲＩＰに入力されてきた入稿データ（ＰＤＬ）はＰＯＤ用面付け設定情報（ＪＤＦ）に基づいて面付けされ、さらに、ラスタライズされて画像データに変換される。このＲＩＰで作成した画像データは図示しないＰＯＤ向きプリンタに送信され、そのプリンタではその画像データに基づく画像がプリント出力される。その後、このプリント出力された用紙が折り畳まれて折り丁が形成され、さらに切断、製本が行なわれて各ページに画像が印刷された束見本が作製される。
【００６０】
この図７に示す実施形態によればＲＩＰでラスタライズされる前のＰＤＬ形式の入稿データが入力されるため入力データ量が少なくて済む。また、ＣＴＰ用面付け設定情報がＰＯＤ用面付け設定情報に変換されるため、その変換された後のＰＯＤ用面付け設定情報を修正することにより、ブリード幅やクリープ量の調整、トンボや色玉の消去や修正等を手軽に行なうことができる。また１ページ分の画像を差し替える場合、その１ページ分の入稿データのみ入力し直し、ＲＩＰで、小さいサイズのＰＯＤ向きプリンタの用紙１枚の片面分についてのみラスタライズし直せばよく、従来（図１参照）と比べ軽い処理で済む。
【００６１】
このように、図７に示す実施形態によれば、ＰＯＤ向きプリンタ用に面付けされた画像データが効率的に作成され、またその修正も容易である。
【００６２】
次に、さらに具体的な実施形態について説明する。
【００６３】
図８は、本実施形態の処理を示すフローチャートである。また図９は、図８のフローチャートに基づく処理の流れを示す図である。
【００６４】
先ず、入稿データ、すなわち、印刷に使用される元のＰＤＬファイルを取得する（Ｓ４１０）。次に、刷版用の面付け設定情報（ＪＤＦ）を取得し（Ｓ４２０）、その刷版用の面付け設定情報を元にしてＰＯＤ用の面付け設定情報を生成する（Ｓ４３０）。さらに、ユーザによる操作に従って、その生成されたＰＯＤ用面付け設定情報が修正される（Ｓ４４０）。ここでは、例えばブリード幅やクリープ量の微調整が行なわれる。次に、入稿データがこのＰＯＤ用の面付け設定情報に基づいて面付けされた、プリンタによる印刷（プリント出力）を行なうための画像データファイルである印刷ジョブが生成される（Ｓ４５０）。この印刷ジョブの生成にあたっては、印刷（プリント出力）に使用する予定のプリンタがラスタデータを受信してそのラスタデータに基づく画像を印刷するプリンタのときはラスタデータからなる印刷ジョブが生成されてプリンタに送信される。一方、印刷（プリント出力）に使用するプリンタがベクタデータ（ＰＤＬ）をラスタデータに変換する機能を有するプリンタであるときは、ＰＯＤ用の面付け設定情報に基づいて面付けされたベクタデータ（ＰＤＬ）が生成されてプリンタに送信され、プリンタでは受信したベクタデータ（ＰＤＬ）がラスタデータに変換される。プリンタでは、受信したラスタデータに基づいて、あるいはベクタデータ（ＰＤＬ）から変換されたラスタデータに基づいて画像が印刷（プリント出力）される。その後は、プリント出力された用紙から折り丁を形成し、切断、製本を経て束見本が作製される。
【００６５】
図１に示す従来技術の場合、刷版用のラスタ済みデータと刷版用の面付け設定情報を用いて、ＰＯＤ用に面付けされたラスタデータを作成するのに対し、図８，図９に示す実施形態の場合、これまで説明してきた実施形態と同様、刷版用に面付けされたラスタデータを必要としないため受け取るデータ量が少なくて済む。また、入稿データの差し替え、ブリード幅やクリープ量の変更など、面付け設定の変更に容易に対応することができる。
【００６６】
また、図１に示す従来技術の場合、刷版用のラスタデータを受け取るためＰＯＤ用に変換した後のデータもラスタデータに限定されることになるが、本実施形態では、ＰＯＤ用に面付けされたラスタデータだけでなく、ＰＯＤ用に面付けされたベクタデータを生成することもできる。
【００６７】
次に、図８，図９に示す実施形態における、刷版用面付け設定情報（ＪＤＦ）からＰＯＤ用面付け設定情報（ＪＤＦ）への変換例を説明する。
【００６８】
図１０は、刷版用面付け設定情報（ＪＤＦ）の一例を示す図である。また図１１は、図１０に示す刷版用面付け設定情報（ＪＤＦ）に基づいて作成されたＰＯＤ用面付け設定情報（ＪＤＦ）の一例を示す図である。
【００６９】
ＪＤＦ（Ｊｏｂ  Ｄｅｆｉｎｉｔｉｏｎ  Ｆｏｒｍａｔ）には、図１０，図１１に示す定義文以外にも多数の定義文が存在するが、ここでは、ここに示す例について面付け設定情報（ＪＤＦ）を刷版用からＰＯＤ用に変換するのに必要な定義文のみ示してある。
【００７０】
図１０において、「Ｓｔｒｉｐｐｉｎｇ」は面付け設定情報のルートであることを示しており、「Ｓｉｇｎａｔｕｒｅ」は、平綴じ／中綴じの区切りを表わす単位である。また「Ｓｈｅｅｔ」は１枚の用紙を表わしており、さらに「Ｂｉｎｄｅｒｙ  Ｓｉｇｎａｔｕｒｅ」は１つの折り丁を表わしている。また、図１０には「ＡｓｓｅｍｂｙＩＤ」が示されているが、この「ＡｓｓｅｍｂｙＩＤ」は「Ｓｉｇｎａｔｕｒｅ」の属性の１つであって、平綴じと中綴じの別を表わしている。さらに、「Ｆｏｌｄ  Ｃａｔａｌｏｇ」は、「Ｂｉｎｄｅｒｙ  Ｓｉｇｎａｔｕｒｅ」の属性の１つであって、折り丁の種類を示している。ここでは、「Ｆｏｌｄ  Ｃａｔａｌｏｇ」として「Ｆ１６−６」が示されている。また、「Ｎｕｍｂｅｒ  Ｕｐ」も「Ｂｉｎｄｅｒｙ  Ｓｉｇｎａｔｕｒｅ」の属性の１つであって、「４，２」は、用紙の片面につき横に４ページ分の画像が並び縦に２ページ分の画像が並んでものが１つの折り丁となることを表わしている。
【００７１】
図１１に示すＰＯＤ用面付け設定情報（ＪＤＦ）も図１０に示す刷版用面付け設定情報（ＪＤＦ）と同様であるが、図１０には示されていない定義文として「Ｐｏｓｉｔｉｏｎ」と「Ｍｅｄｉａ」が示されている。「Ｐｏｓｉｔｉｏｎ」は、「Ｂｉｎｄｅｒｙ  Ｓｉｇｎａｔｕｒｅ」の中での画像の位置を示している。また「Ｍｅｄｉａ」は「Ｓｈｅｅｔ」の下段に「Ｂｉｎｄｅｒｙ  Ｓｉｇｎａｔｕｒｅ」と同格に位置し、例えば用紙の寸法等、用紙を定義する定義文である。
【００７２】
また、この図１１では、「Ｆｏｌｄ  Ｃａｔａｌｏｇ」として「Ｆ４−１」が定義されている。この「Ｆ４−１」も、図１０における「Ｆ１６−６」と同様、折り丁の１つの種類を表わしている。この「Ｆ４−１」は、具体的には１つの折り丁の表裏面合わせて４ページ分（表裏面それぞれに２ページ分）の画像を有するときの折り丁の１つの種類を表わしている。
【００７３】
図１０，図１１それぞれの右側には、１つの折り丁の表裏面のページ配置例が示されている。数字の上下の向きは、そのページの画像の上下の向きに対応している。図１０では、１枚の折り丁の表裏面それぞれに８ページ分の画像が配列されており、図１１では、１枚の折り丁ごとにその表裏面それぞれに２ページ分の画像が配列されている。
【００７４】
図１２は、刷版用面付け設定情報（例えば図１０参照）からＰＯＤ用面付け設定情報（例えば図１１参照）への変換処理を示すフローチャートである。
【００７５】
ここでは先ず、印刷時の用紙１枚が持つ折り丁を１つずつに分ける処理が行なわれる（Ｓ６０１）。印刷時の用紙には複数の折り丁が存在し、印刷後にその用紙を折り丁単位に切断してから折り畳んで折り丁を作製することがある。ここでは印刷時の一枚の用紙（図１０の「Ｓｈｅｅｔ」）の下に複数の折り丁（Ｂｉｎｄｅｒｙ  Ｓｉｇｎａｔｕｒｅ）が存在するときに、１つの「Ｓｈｅｅｔ」の下に１つの折り丁（Ｂｉｎｄｅｒｙ  Ｓｉｇｎａｔｕｒｅ）のみが存在するように「Ｓｈｅｅｔ」が分割される。
【００７６】
図１３は、図１２のステップＳ６０１の処理の説明図である。
【００７７】
図１０に示す例では、「Ｓｈｅｅｔ」の下に１つの「Ｂｉｎｄｅｒｙ  Ｓｉｇｎａｔｕｒｅ」しか存在しないため、図１３には別の例を示してある。
【００７８】
図１３（Ａ）には、１つの「Ｓｈｅｅｔ１」の下に「Ｂｉｎｄｅｒｙ  Ｓｉｇｎａｔｕｒｅ１」と「Ｂｉｎｄｅｒｙ  Ｓｉｇｎａｔｕｒｅ２」が存在している。すなわち、１枚の用紙の中に２つの折り丁の画像が存在している。
【００７９】
そこでここでは、図１３（Ｂ）に示すように、「Ｓｈｅｅｔ１」をコピーして「Ｓｈｅｅｔ１」と「Ｓｈｅｅｔ２」とする。この段階ではこれらの「Ｓｈｅｅｔ１」と「Ｓｈｅｅｔ２」のいずれにも「Ｂｉｎｄｅｒｙ  Ｓｉｇｎａｔｕｒｅ１」と「Ｂｉｎｄｅｒｙ  Ｓｉｇｎａｔｕｒｅ２」が存在している。
【００８０】
その後、図１３（Ｃ）に示すように「Ｓｈｅｅｔ１」からは「Ｂｉｎｄｅｒｙ  Ｓｉｇｎａｔｕｒｅ２」を削除して「Ｂｉｎｄｅｒｙ  Ｓｉｇｎａｔｕｒｅ１」のみ残し、「Ｓｈｅｅｔ２」からは「Ｂｉｎｄｅｒｙ  Ｓｉｇｎａｔｕｒｅ１」を削除して「Ｂｉｎｄｅｒｙ  Ｓｉｇｎａｔｕｒｅ２」のみ残す。こうすることにより、それぞれが１つの折り丁「Ｂｉｎｄｅｒｙ  Ｓｉｇｎａｔｕｒｅ」を持つ「Ｓｈｅｅｔ」に分割される。
【００８１】
図１２のステップＳ６０２では平綴じ／中綴じの別が調べられ、平綴じのときはステップＳ６０３に進んで区切り位置が追加される。
【００８２】
図１４は、図１２のステップＳ６０２，Ｓ６０３の処理の説明図である。
【００８３】
図１４（Ａ）は、「Ｓｉｇｎａｔｕｒｅ」の下に「Ｓｈｅｅｔ１」と「Ｓｈｅｅｔ２」が存在し、この場合、図４（Ｂ）に示すように、「Ｓｈｅｅｔ１」のみを有する「Ｓｉｇｎａｔｕｒｅ１」と「Ｓｈｅｅｔ２」のみを有する「Ｓｉｇｎａｔｕｒｅ２」に分割し用紙１枚単位の中綴じとする。これは、ＰＯＤ用面付け設定情報（ＪＤＦ）を、印刷用紙１枚単位での中綴じとして作成するためである。
【００８４】
次に、図１２のステップＳ６０４において、折り丁の面付けパターンを、横２ページ分×縦１ページ分にする。
【００８５】
すなわちここでは、ＰＯＤ用のプリンタの用紙サイズからして１枚の用紙の表裏それぞれに２ページ分が面付けされる。
【００８６】
図１５は、図１２のステップＳ６０４の処理の説明図である。
【００８７】
印刷用紙１枚には、「Ｆ１６−６」の折り丁が指定され表裏面それぞれには横４ページ分×縦２ページ分の画像が面付けされている（図１５（Ａ））。ＰＯＤ用の用紙には表裏それぞれに横２ページ分×縦１ページ分の画像が面付けされる必要があるため、図１５（Ｂ）に示すように用紙は４枚必要となる。ここでは、Ｆ１６−６の面付けパターンが４枚の用紙それぞれにつきＦ４−１の面付けパターンに変更される。何ページ目の画像を４枚の用紙のどこに配置するかは、変更前の折り丁の種類Ｆ１６−６と変更後の折り丁の種類Ｆ４−１とにより一義的に定義される。
【００８８】
図１２のステップＳ６０５では、用紙サイズの修正が行なわれる。
【００８９】
図１６は、ステップＳ６０５の処理の説明図である。
【００９０】
ここでは、２ページ分の画像の寸法にさらに切断時の目印であるトンボを含んだ領域の寸法が調べられ、その領域の寸法を含む最小サイズの用紙に決定され、その用紙サイズが「Ｍｅｄｉａ」（図１１参照）に書き込まれる。
【００９１】
図１６に示す例では、トンボを含んだ領域の寸法が用紙サイズＡ３よりも大きく、用紙サイズＡ３よりも少し大きい用紙サイズＳＲＡ３よりも小さいときは、用紙サイズＳＲＡ３に決定される。尚、ここでは、使用可能な用紙とそのサイズ一覧が記憶されており、用紙サイズの決定にあたってはその一覧が参照される。
【００９２】
さらに、図１２のステップＳ６０６では、図１７に示すように、２ページ分を合わせた画像がステップＳ６０５で決定された用紙の中央に位置するようにセンタリング処理が行なわれ、その位置が「Ｐｏｓｉｔｉｏｎ」（図１１参照）に書き込まれる。
【００９３】
以上の処理により、図１０に一例を示す刷版用面付け設定情報（ＪＤＦ）を基に、図１１に示すＰＯＤ用面付け設定情報（ＪＤＦ）が作成される。
【符号の説明】
【００９４】
１００    コンピュータ
１１０    本体部
１１１    ＦＤ装填口
１１２    ＣＤ−ＲＯＭ装填口
１１３    ＣＰＵ
１１４    主メモリ
１１５    ハードディスク装置
１１６    ＦＤドライブ
１１７    ＣＤドライブ
１１８    入力インターフェース
１１９    出力インターフェース
１２０    画像表示装置
１２１    表示画面
１３０    キーボード
１５０    バス
２００    画像データ生成プログラム
２１０，３１０    データ取得部
２２０，３２０    面付けデータ生成部
２２１，３２１    第１の変更部
２２２，３２２    第２の変更部
２２３，３２３    面付けデータ変換部
２３０，３３０    面付けデータ修正部
２４０，３４０    画像データ生成部
２５０，３５０    画像データ送信部
３００    ＦＤ、画像データ生成装置
４００    ＣＤ−ＲＯＭ
【図１】
2011018230.tif 000003
【図２】
2011018230.tif 000004
【図３】
2011018230.tif 000005
【図４】
2011018230.tif 000006
【図５】
2011018230.tif 000007
【図６】
2011018230.tif 000008
【図７】
2011018230.tif 000009
【図８】
2011018230.tif 000010
【図９】
2011018230.tif 000011
【図１０】
2011018230.tif 000012
【図１１】
2011018230.tif 000013
【図１２】
2011018230.tif 000014
【図１３】
2011018230.tif 000015
【図１４】
2011018230.tif 000016
【図１５】
2011018230.tif 000017
【図１６】
2011018230.tif 000018
【図１７】
2011018230.tif 000019